(57)【要約】【課題】展示物または日よけの上下移動によるディスプレイおよび引き上げを自動で行うことができるブラインド式自動ディスプレイ装置を提供する。【解決手段】モータの回転を用いて絵や広告等の展示対象物を自動でディスプレイするブラインドと、ディスプレイを調節するためにモータの回転を制御する制御ユニットとを備え、前記ブラインドは、内蔵されたモータにより自転する円筒状水平フレーム部材に絵等が描かれた展示物シートが懸垂されたロールブラインド、モータが内蔵された平面型フレーム部材に多段式展示プレートが懸垂された多段式ブラインド、または、モータが内蔵された平面型フレーム部材に折り畳み式ギャザー展示シートが懸垂された折り畳み式ブラインドのいずれかであり、前記ブラインドを四角形状に取り囲む枠部材と該枠部材に配置された透明展示窓により密閉内蔵されるディスプレイ装置を用いる。【選択図】  図５
2004190476.tif 000002
【特許請求の範囲】
【請求項１】
展示物または日よけの上下移動によるディスプレイおよび引き上げを自動で行うブラインド式自動ディスプレイ装置であって、
面取りされた回転軸を有する正逆モータと、
前記正逆モータを固定内蔵し、モータの回転により自転する中空の円筒状水平フレーム部材と、
前記フレーム部材の下部に上端が固定され、モータの回転によりフレーム部材に巻き取られ、または、フレーム部材から展開する可撓性のフラット展示物シートと、
前記展示物シートの最下端に固定された均衡錘部材と、
前記モータの回転を制御する制御ユニットとを備え、
前記円筒状水平フレーム部材の一端には、モータの回転が円筒状水平フレーム部材の回転に伝わるようにモータの面取り回転軸が挿通する孔が形成され、水平フレーム部材に結合される固定プレートが設けられていることを特徴とするブラインド式自動ディスプレイ装置。
【請求項２】
前記円筒状水平フレーム部材が、上部に固定されるように前記ディスプレイ装置を取り囲む四角形状の枠部材と、該枠部材に配置され、前記ディスプレイ装置を密閉内蔵する透明展示窓とをさらに備えていることを特徴とする請求項１記載のブラインド式自動ディスプレイ装置。
【請求項３】
前記ディスプレイ装置を収納するように取り囲む四角形状の枠部材と、前記展示物シートの背面側に設けられる展示物バックプレートとをさらに備え、
前記展示物シートの前面側には、前記枠部材の内側に透明展示窓が配置されていることを特徴とする請求項１記載のブラインド式自動ディスプレイ装置。
【請求項４】
前記展示物シートと透明展示窓との間には、展示物プレートの縁部分を遮蔽するための縁遮蔽部材をさらに備えていることを特徴とする請求項３記載のブラインド式自動ディスプレイ装置。
【請求項５】
前記展示物バックプレートと展示物シートとの間には、透明展示窓がさらに配置されていることを特徴とする請求項３または請求項４記載のブラインド式自動ディスプレイ装置。
【請求項６】
照明灯をさらに備え、
前記制御ユニットが、電気周波数作動式制御ユニットであって、電源、モータ、照明灯およびレシーバに接続された中央処理部と、前記電源、モータおよび照明灯の作動制御信号をレシーバに遠隔伝送するリモコンとを含み、
前記リモコンの制御信号が、レシーバを介して中央処理部に伝わり、中央処理部の作動制御により、電源、モータおよび照明灯が作動することを特徴とする請求項１から請求項３までのいずれかに記載のブラインド式自動ディスプレイ装置。
【請求項７】
前記電源が、バッテリまたはＤＣ１２Ｖ電源であることを特徴とする請求項６記載のブラインド式自動ディスプレイ装置。
【請求項８】
照明灯をさらに備え、
前記制御ユニットが、音響周波数作動式制御ユニットであって、電源、モータ、照明灯およびレシーバに接続された中央処理部を含み、
外部音響の制御信号が、レシーバを介して中央処理部に伝わり、中央処理部の作動制御により、電源、モータおよび照明灯が作動することを特徴とする請求項１から請求項３までのいずれかに記載のブラインド式自動ディスプレイ装置。
【請求項９】
前記電源が、バッテリまたはＤＣ１２Ｖの電源であることを特徴とする請求項８記載のブラインド式自動ディスプレイ装置。
【請求項１０】
前記円筒状水平フレーム部材が設けられる部分の枠部材には、該円筒状水平フレーム部材が空転するためのベアリング部材が設けられていることを特徴とする請求項２または請求項３記載のブラインド式自動ディスプレイ装置。
【請求項１１】
前記モータに隣接して、モータの面取り回転軸が挿通する孔と、溝とを有する固定プレートが設けられ、
前記モータが配置された円筒状水平フレーム部材の一端には、前記固定プレートの溝と噛み合う溝が形成されていることを特徴とする請求項１から請求項３までのいずれかに記載のブラインド式自動ディスプレイ装置。
【請求項１２】
前記円筒状水平フレーム部材の他端には、モータ電線の捻じりを防止するためのベアリングが設けられていることを特徴とする請求項１から請求項３までのいずれかに記載のブラインド式自動ディスプレイ装置。
【請求項１３】
前記展示物が、絵または広告物を含むものであることを特徴とする請求項１から請求項３までのいずれかに記載のブラインド式自動ディスプレイ装置。
【請求項１４】
前記展示物シートが、繊維、織物または不織布からなることを特徴とする請求項１から請求項３までのいずれかに記載のブラインド式自動ディスプレイ装置。
【請求項１５】
前記展示物シートが、展示物の展示、遮光、私生活保護、または、外気の流入を遮断する断熱用として使用されることを特徴とする請求項１から請求項３までのいずれかに記載のブラインド式自動ディスプレイ装置。
【請求項１６】
展示物または日よけの上下移動によるディスプレイおよび引き上げを自動で行うブラインド式自動ディスプレイ装置であって、
回転軸に直列連結された少なくとも１つの駆動プーリを有する正逆モータを備えた多段式展示ブラインドと、前記多段式展示ブラインドを取り囲む四角形状の枠部材と、前記枠部材の前・背面にそれぞれ配置された透明展示窓と、前記モータの回転を制御する制御ユニットとを備え、
前記多段式展示ブラインドが、前記モータを内蔵する水平フレーム部材と、前記フレーム部材の下側に、回動自在に上下動するように設けられた複数の展示物プレートと、一端が前記フレーム部材側に固定され、他端が複数の展示物プレートを貫いてフレーム部材に対向する枠部材に固定された上下動ガイドと、一端がモータの駆動プーリに固定され、他端が複数の展示物プレートの長手方向の外側部にそれぞれ固定され、最下部の展示物プレートの長手方向の外側部に固定された回動ガイドワイヤとを備えていることを特徴とするブラインド式自動ディスプレイ装置。
【請求項１７】
前記制御ユニットが、電気周波数作動式制御ユニットであって、電源、モータおよびレシーバに接続された中央処理部と、前記電源とモータの作動制御信号をレシーバに遠隔伝送するリモコンとを含み、
前記リモコンの制御信号が、レシーバを介して中央処理部に伝わり、中央処理部の作動制御により、電源およびモータが作動することを特徴とする請求項１６記載のブラインド式自動ディスプレイ装置。
【請求項１８】
前記制御ユニットが、音響周波数作動式制御ユニットであって、電源、モータおよびレシーバに接続された中央処理部を含み、
外部音響の制御信号が、レシーバを介して中央処理部に伝わり、中央処理部の作動制御により、電源およびモータが作動することを特徴とする請求項１６記載のブラインド式自動ディスプレイ装置。
【請求項１９】
前記電源が、バッテリまたはＤＣ１２Ｖ電源であることを特徴とする請求項１７または請求項１８記載のブラインド式自動ディスプレイ装置。
【請求項２０】
前記展示物が、絵または広告物を含むものであることを特徴とする請求項１６記載のブラインド式自動ディスプレイ装置。
【請求項２１】
前記展示物プレートが、展示物の展示、遮光、私生活保護、または、外気の流入を遮断する断熱用として使用されることを特徴とする請求項１６記載のブラインド式自動ディスプレイ装置。
【請求項２２】
展示物または日よけの上下移動によるディスプレイおよび引き上げを自動で行うブラインド式自動ディスプレイ装置であって、
回転軸に直列連結された少なくとも１つの駆動プーリを有する正逆モータを備えた折り畳み式展示ブラインドと、前記折り畳み式展示ブラインドを取り囲む四角形状の枠部材と、前記枠部材の前・背面にそれぞれ配置された透明展示窓と、前記モータの回転を制御する制御ユニットとを備え、
前記折り畳み式展示ブラインドが、前記モータを内蔵する水平フレーム部材と、前記フレーム部材の下部に上端が固定される折り畳み式ギャザー展示物シートと、前記展示物シートの最下端に固定された均衡錘部材と、一端が前記モータの駆動プーリに一端が固定され、他端が前記均衡錘部材に固定されたガイドワイヤとを備えていることを特徴とするブラインド式自動ディスプレイ装置。
【請求項２３】
前記制御ユニットが、電気周波数作動式制御ユニットであって、電源、モータおよびレシーバに接続された中央処理部と、前記電源とモータの作動制御信号をレシーバに遠隔伝送するリモコンとを含み、
前記リモコンの制御信号が、レシーバを介して中央処理部に伝わり、中央処理部の作動制御により、電源およびモータが作動することを特徴とする請求項２２記載のブラインド式自動ディスプレイ装置。
【請求項２４】
前記制御ユニットが、音響周波数作動式制御ユニットであって、電源、モータおよびレシーバに接続された中央処理部を含み、
外部音響の制御信号がレシーバを介して中央処理部に伝わり、中央処理部の作動制御により、電源およびモータが作動することを特徴とする請求項２２記載のブラインド式自動ディスプレイ装置。
【請求項２５】
前記電源が、バッテリまたはＤＣ１２Ｖ電源であることを特徴とする請求項２３または請求項２４記載のブラインド式自動ディスプレイ装置。
【請求項２６】
前記展示物が、絵または広告物を含むものであることを特徴とする請求項２２記載のブラインド式自動ディスプレイ装置。
【請求項２７】
前記ギャザー展示物シートが、繊維、織物または不織布からなることを特徴とする請求項２２記載のブラインド式自動ディスプレイ装置。
【請求項２８】
前記展示物プレートが、展示物の展示、遮光、私生活保護、または、外気の流入を遮断する断熱用として使用されることを特徴とする請求項２２に記載のブラインド式自動ディスプレイ装置。
【請求項２９】
前記透明展示窓は、内部に密閉内蔵空間を有する複層ガラスであることを特徴とする請求項２、１６、２２のいずれかに記載のブラインド式自動ディスプレイ装置。
【発明の詳細な説明】
【技術分野】
【０００１】
本発明は、ブラインド式ディスプレイ装置に関し、より詳細には、住居空間、事務空間および娯楽空間等のあらゆる空間において、日よけ、私生活保護、装飾、展示または広告の目的で使用し、必要に応じて選択的に展示物または日よけをディスプレイすることができるブラインド式ディスプレイ装置に関する。
【背景技術】
【０００２】
一般に、絵および広告を含む展示物は、装飾や展示または保護のために、額縁内に収納された状態でディスプレイされる。このような額縁内に収納された展示物は、長い間一定の場所に固定された状態で展示される。
このため、一定期間が経つと、その展示物に飽きてしまい、時には雰囲気の転換のために、展示物のディスプレイを取り止めたり、展示物自体を取り替えたりしなければならなかった。
【発明の開示】
【発明が解決しようとする課題】
【０００３】
しかしながら、一般に使用されている額縁展示物は、その展示物の取り替えが容易ではなく、他の額縁展示物を購入して改めて配置しなければならず、また、展示物のディスプレイを取り止めるためには、額縁展示物自体を展示空間から引き上げなければならないという課題を有していた。
さらに、設置も壁面にしかできないことから、設置空間の制約もあった。
【０００４】
本発明は、上記技術的課題を解決するためになされたものであり、住居空間、事務空間および娯楽空間等のあらゆる空間において、壁面または窓に設置可能であり、展示物または日よけの上下移動によるディスプレイおよび引き上げを自動で行うことができるブラインド式自動ディスプレイ装置を提供することを目的とするものである。
また、本発明の他の目的は、必要に応じて複数の展示物を選択的にディスプレイ可能であるブラインド式自動ディスプレイ装置を提供することである。
【課題を解決するための手段】
【０００５】
上記目的を達成するために、本発明は、展示物または日よけの上下移動によるディスプレイおよび引き上げを自動で行うブラインド式自動ディスプレイ装置であって、面取りされた回転軸を有する正逆モータと、前記正逆モータを固定内蔵し、モータの回転により自転する中空の円筒状水平フレーム部材と、前記フレーム部材の下部に上端が固定され、モータの回転によりフレーム部材に巻き取られ、または、フレーム部材から展開する可撓性のフラット展示物シートと、前記展示物シートの最下端に固定された均衡錘部材と、前記モータの回転を制御する制御ユニットとを備え、前記円筒状水平フレーム部材の一端には、モータの回転が円筒状水平フレーム部材の回転に伝わるようにモータの面取り回転軸が挿通する孔が形成され、水平フレーム部材に結合される固定プレートが設けられていることを特徴とするブラインド式自動ディスプレイ装置を提供する。
【０００６】
本発明の実施の一形態によれば、前記円筒状水平フレーム部材が、上部に固定されるように前記ディスプレイ装置を取り囲む四角形状の枠部材と、該枠部材に配置され、前記ディスプレイ装置を密閉内蔵する透明展示窓とをさらに備えていることを特徴とするブラインド式自動ディスプレイ装置が提供される。
【０００７】
また、前記ディスプレイ装置を収納するように取り囲む四角形状の枠部材と、前記展示物シートの背面側には、展示物バックプレートとをさらに備え、前記展示物シートの前面側には、前記枠部材の内側に透明展示窓が配置されていることを特徴とするブラインド式自動ディスプレイ装置が提供される。
【０００８】
前記展示物シートと透明展示窓との間には、展示物シートの縁部分を遮蔽するための縁遮蔽部材をさらに備えていることが好ましい。
さらに、前記展示物バックプレートと前記展示物シートまたは展示物プレートとの間には、透明展示窓が配置されていることが好ましい。
【０００９】
また、本発明に係るブラインド式自動ディスプレイ装置は、照明灯をさらに備え、前記制御ユニットが、電気周波数作動式制御ユニットであって、電源、モータ、照明灯およびレシーバに接続された中央処理部と、前記電源、モータおよび照明灯の作動制御信号をレシーバに遠隔伝送するリモコンとを含み、前記リモコンの制御信号が、レシーバを介して中央処理部に伝わり、中央処理部の作動制御により、電源、モータおよび照明灯が作動するものであることが好ましい。
【００１０】
また、本発明に係るブラインド式自動ディスプレイ装置の他の形態としては、照明灯をさらに備え、前記制御ユニットが、音響周波数作動式制御ユニットであって、電源、モータ、照明灯およびレシーバに接続された中央処理部を含み、外部音響の制御信号が、レシーバを介して中央処理部に伝わり、中央処理部の作動制御により、電源、モータおよび照明灯が作動するものであることが好ましい。
【００１１】
前記電源は、バッテリまたはＤＣ１２Ｖ電源であることが好ましい。
【００１２】
また、前記円筒状水平フレーム部材が設けられる枠部材の部分には、該円筒状水平フレーム部材が空転するようにするためのベアリング部材が設けられていることが好ましい。
【００１３】
さらに、本発明に係るブラインド式自動ディスプレイ装置においては、前記モータに隣接して、モータの面取り回転軸が挿通する面取り孔と、溝とを有する固定プレートが設けられ、前記モータが配置された円筒状水平フレーム部材の一端には、前記固定プレートの溝と噛み合う溝が形成されていることが好ましい。
また、前記円筒状水平フレーム部材の他端には、モータ電線の捻じりを防止するためのベアリングが設けられていることが好ましい。
【００１４】
さらに、本発明に係るブラインド式自動ディスプレイ装置は、前記円筒状水平フレーム部材が上部に固定されるように、前記ディスプレイ装置を取り囲む四角形状の枠部材と、前記枠部材の前・背面にそれぞれ配置された透明展示窓とを備えているものであることが好ましい。
【００１５】
また、本発明は、展示物または日よけの上下移動によるディスプレイおよび引き上げを自動で行うブラインド式自動ディスプレイ装置であって、回転軸に直列連結された少なくとも１つの駆動プーリを有する正逆モータを備えた多段式展示ブラインドと、前記多段式展示ブラインドを取り囲む四角形状の枠部材と、前記枠部材の前・背面にそれぞれ配置された透明展示窓と、前記モータの回転を制御する制御ユニットとを備え、前記多段式展示ブラインドが、前記モータを内蔵する水平フレーム部材と、前記フレーム部材の下側に、回動自在に上下動するように設けられた複数の展示物プレートと、一端が前記フレーム部材側に固定され、他端が複数の展示物プレートを貫いてフレーム部材に対向する枠部材に固定された上下動ガイドと、一端がモータの駆動プーリに固定され、他端が複数の展示物プレートの長手方向の外側部にそれぞれ固定され、最下部の展示物プレートの長手方向の外側部に固定された回動ガイドワイヤとを備えていることを特徴とするブラインド式自動ディスプレイ装置を提供する。
【００１６】
さらにまた、本発明は、展示物または日よけの上下移動によるディスプレイおよび引き上げを自動で行うブラインド式自動ディスプレイ装置であって、回転軸に直列連結された少なくとも１つの駆動プーリを有する正逆モータを備えた折り畳み式展示ブラインドと、前記折り畳み式展示ブラインドを取り囲む四角形状の枠部材と、前記枠部材の前・背面にそれぞれ配置された透明展示窓と、前記モータの回転を制御する制御ユニットとを備え、前記折り畳み式展示ブラインドが、前記モータを内蔵する水平フレーム部材と、前記フレーム部材の下部に上端が固定される折り畳み式ギャザー展示物シートと、前記展示物シートの最下端に固定された均衡錘部材と、一端が前記モータの駆動プーリに一端が固定され、他端が前記均衡錘部材に固定されたガイドワイヤとを備えていることを特徴とするブラインド式自動ディスプレイ装置を提供する。
【００１７】
本発明において、前記透明展示窓は、内部に密閉内蔵空間を有する複層ガラスであることが好ましい。
また、前記展示物は、絵または広告物を含むものであり、また、前記展示物シートは、繊維、織物または不織布からなるものであることが好ましい。
【００１８】
本発明に係るブラインド式自動ディスプレイ装置は、前記展示物シートまたは展示物プレートが、展示物の展示、遮光、私生活保護、または、外気の流入を遮断する断熱用として好適に使用することができる。
【発明の効果】
【００１９】
上述のとおり、本発明に係るブラインド式自動ディスプレイ装置は、住居空間、事務空間および娯楽空間等のあらゆる空間において、装飾や展示、遮光または広告等の目的で使用することができ、選択的に複数の展示物をディスプレイすることができる。
また、本発明に係るブラインド式自動ディスプレイ装置によれば、展示物または日よけの上下移動によるディスプレイおよび引き上げを自動で行うことができ、展示効果を増大させることができる。
【発明を実施するための最良の形態】
【００２０】
以下、添付図面を参照して、本発明の好適な実施の形態を詳細に説明する。
本発明において使用されるモータは、両方向駆動が可能なモータである。
また、展示物または日よけ（以下、展示物と総称する）とは、日よけや私生活保護を主目的とする一般の無地のものを含み、絵または広告物を含み、外部にディスプレイできる種々のものを通称するものであり、絵または広告は、それ自体が直にプリントされているものであっても、プリントされたシート状のものが貼付されたものであってもよい。
【００２１】
以下、各実施形態を説明するが、展示物としてディスプレイされる要素は、１つのシートまたは複数のプレートからなり、これらの要素は、独立してディスプレイ装置として使用するか、または、展示物または日よけの装飾効果および保護のために、それぞれ額縁状のケースに入れて使用することもできる。
【００２２】
図１は、本発明に係るブラインド式自動ディスプレイ装置であり、（ａ）は斜視図（ｂ）は側面図である。
図１（ａ）および（ｂ）に示すブラインドは、モータを内蔵したロールブラインド１０であり、前記モータの駆動により回転する円筒状水平フレーム部材と、該水平フレーム部材の下側に固定される展示物シート１５と、該展示物シートの最下端に固定されて展示物シートに荷重を与える均衡錘部材１７とを備えている。
【００２３】
前記展示物シート１５は、無地であるか、あるいは、絵または広告物Ａがプリントまたは貼付されており、該展示物シート１５は、モータによる円筒状水平フレーム部材の回転により、該フレーム部材に巻き上げられ、また、巻き上げられている状態を解除することにより、展示物シート１５を引き上げまたはディスプレイする。
【００２４】
前記ロールブラインド１０の円筒状水平フレーム部材は、内蔵されているモータの回転時に、フレーム部材自体が回転する構造を有しているため、モータの回転に応じて、該フレーム部材の下部に固定されている展示物シート１５をフレーム部材に対して展開または巻き上げることにより、展示物をディスプレイまたは引き上げる。
したがって、このようなロールブラインドは、独立してディスプレイを行うことができる。これについては、図４を参照して後述する。
【００２５】
展示物または日よけの装飾効果および保護のために、ロールブラインド１０の縁を額縁型の四角形状の枠部材Ｃで覆ってもよい。前記枠部材Ｃは、展開状態のロールブラインド１０の全体が収容できる大きさの四角形状の枠形態であり、該枠部材Ｃには、展示物シート１５の前面および背面にそれぞれ、透明展示窓３とバックプレート１とが配置されている。
【００２６】
前記バックプレート１の前面には、背景絵または広告Ｂがプリントまたは貼付されている。このため、枠部材Ｃ内にあるロールブラインド１０を作動させて、展示物シート１５を引き上げると、透明展示窓３を通じて、バックプレート１の前面が現われ、該前面にプリントまたは貼付されている背景絵または広告Ｂがディスプレイされる。
【００２７】
上記のようなロールブラインド１０の作動は、リモコンや音響信号により可能であり、リモコンの信号や外部音響信号は、枠部材Ｃに設けられたレシーバＲを介して、ディスプレイ装置に伝わる。
【００２８】
図２に、前記ディスプレイ装置の制御ユニットの構成を示す。
前記ディスプレイ装置には、外部からの信号を受信するレシーバＲ、展示物の展開または引き上げのためのモータＭ、展示物を照らすための照明灯Ｌおよび電源Ｐが、中央処理部で接続されている。これにより、リモコン（リモートコントローラ）の信号や音響信号が、レシーバＲを介して中央処理部（コントロールユニット）に伝えられると、中央処理部（コントロールユニット）の演算による制御信号を用いて、電源Ｐ、モータＭおよび照明灯Ｌの作動が制御される。
前記電源Ｐは、内蔵型電池またはＤＣ１２Ｖの電源のいずれでもよい。
【００２９】
図３は、図１のディスプレイ装置の分解斜視図である。
上述したように、図１に示すディスプレイ装置は、額縁型枠部材Ｃでロールブラインド１０を取り囲んでいる形態のものである。
ロールブラインド１０を取り囲む枠部材Ｃは、該ロールブラインド１０の円筒状水平フレーム部材を覆う上部枠Ｃ1、該上部枠Ｃ1の両側端部の下部に垂直に設けられる垂直枠Ｃ2およびＣ3、両側の垂直枠Ｃ2とＣ3とを連結する下部枠Ｃ4とからなり、これらの枠を組み立てることにより、ロールブラインド１０を内蔵する四角形状の枠部材Ｃが形成される。
【００３０】
前記ロールブラインド１０は、モータの回転に連動して本体自体が回転するため、ロールブラインド１０の水平フレーム部材が設けられる上部枠Ｃ1の部分には、水平フレーム部材が空転するようにするベアリング部材（図示せず）が設けられる。
【００３１】
前記枠部材Ｃの背面側には、前面に絵または広告Ｂ等の背景展示物がプリントまたは貼付されたバックプレート１が設けられる。
前記枠部材Ｃ内におけるロールブラインド１０の前面側には、通常、ガラスからなる前方透明展示窓３が設けられ、また、ロールブラインド１０とバックプレート１との間にも、後方透明展示窓７を選択的に設けることができる。
さらに、ロールブラインド１０と前方展示窓３との間には、ロールブラインド１０の絵または広告Ａの縁部分を遮蔽する縁遮蔽部材５をさらに設けてもよい。
【００３２】
前記枠部材Ｃには、絵または広告Ａの展示物シート１５をディスプレイまたは引き上げるモータＭと、展示物を照らす照明灯Ｌに電源を供給する電源Ｐと、リモコンによるモータＭまたは照明灯Ｌの作動制御信号を受信するレシーバＲとが設けられている。
【００３３】
ロールブラインド１０の作動により、展示物シート１５が円筒状水平フレーム部材から展開されると、展示物シート１５の絵または広告Ａが外部にディスプレイされる。
逆に、展示物シート１５が円筒状水平フレーム部材に巻き取られると、バックプレート１が展示窓３を通じて外部に現われ、バックプレート１にプリントまたは貼付されている背景絵または広告Ｂが現われる。
【００３４】
上記のようなディスプレイ装置は、展示物をディスプレイするブラインドの形態または種類を、他の様々な形態とすることができ、その場合においても、ブラインド以外の他の要素は、上記と同様な構成とすることができる。
【００３５】
図４は、図３のロールブラインドの分解斜視図である。
ロールブラインド１０は、モータＭを内蔵する中空の円筒状水平フレーム部材と、該フレーム部材の下側に固定され、展示物がプリントまたは貼付されている展示物シート１５と、該展示物シート１５の下端に固定され、展示物シート１５に荷重を与える均衡錘部材（図示せず）とを備えている。
前記円筒状水平フレーム部材は、モータＭを遊びのない状態で内蔵する中空の円筒状フレーム本体と、該本体の両端に取付けられる第１および第２のキャップ部材１０ａ、１０ｂとを備えている。
【００３６】
前記モータＭは、面取り端部を有する回転軸Ｍｒを備えており、円筒状フレーム本体内の一端に配置され、該一端の外周には、モータＭの固定のための溝１１ａが形成されている。
そして、円筒状フレーム本体内におけるモータに隣接して、前記フレーム本体の溝１１ａに噛み合うように、該溝１１ａに対応する形状で形成された溝１１ｂを有する固定プレートＭｐが配置されている。
また、該固定プレートＭｐは、回転軸Ｍｒの面取り端部に対応する形状に形成された回転軸挿通孔１０ｒを有しており、モータＭの回転軸Ｍｒが回転すると、固定プレートＭｐの回転軸挿通孔１０ｒを挿通する回転軸Ｍｒの回転力により固定プレートＭｐが回転する。該固定プレートＭｐは、円筒状フレーム本体の一端の溝１１ａに噛み合っているため、結果として、円筒状フレーム本体を回転させることとなる。
【００３７】
すなわち、固定プレートＭｐが円筒状フレーム本体に噛み合っている状態でモータＭが作動すると、面取りされた回転軸Ｍｒに噛み合っている固定プレートＭｐが回転し、該固定プレートＭｐの回転により、モータＭを含む円筒状フレーム本体自体も回転するようになる。
このような回転により、円筒状フレーム本体の下部に固定されている展示物シート１５を上下に展開または巻き取り、展示物をディスプレイまたは引き上げる。
【００３８】
前記円筒状フレーム本体のモータＭが配置された側の一端には、フレーム本体内に設けられたモータＭと固定プレートＭｐの仕上げ処理のために、第１のギャップ部材１０ａが取付けられる。該第１のキャップ部材１０ａは、その後の円筒状フレーム本体の設置の際、円筒状水平フレーム部材の外部の所定位置に固着される。
前記円筒状フレーム本体の他端部には、モータＭを含む円筒状フレーム本体の回転によるモータＭに連結されている配線の捻じりを防止するためのベアリング１３を設けた第２のキャップ部材１０ｂが取付けられている。
【００３９】
図５は、多段式ブラインドを用いた本発明に係る他の実施形態のディスプレイ装置の分解斜視図である。
図５に示す展示物のディスプレイおよび引き上げを自動で行うブラインド式自動ディスプレイ装置は、回転軸に直列連結された少なくとも１つの駆動プーリＰ1、Ｐ2を有する正逆モータＭを備えた多段式展示ブラインドと、該多段式展示ブラインドを四角形状に取り囲む枠部材Ｃ1、Ｃ2、Ｃ3、Ｃ4と、該枠部材に配置され、前記ブラインドを密閉内蔵する複層ガラスのような透明展示窓３、７と、モータＭの回転を制御する制御ユニットとを備えている。
【００４０】
前記多段式展示ブラインドは、前記正逆モータＭを内蔵する水平フレーム部材２１と、該フレーム部材２１の下側に、回動自在に上下動するように設けられた複数の展示物プレート２５ａ、２５ｂ、２５ｃ、……、２５ｎと、フレーム部材２１側に一端が固定され、他端が複数の展示物プレートを貫いてフレーム部材２１に対向する枠部材Ｃ4に固定された上下動ガイドワイヤ２９を備えている。また、一端がモータＭの駆動プーリＰ1、Ｐ2に固定され、他端が複数の展示物プレートの長手方向の外側部にそれぞれ固定されており、さらに、最下部の展示物プレート２５ｎの長手方向の外側部に固定された回動ガイドワイヤ２８を備えている。
【００４１】
複数の展示物プレート２５ａ、２５ｂ、２５ｃ、……、２５ｎは、駆動プーリＰ1、Ｐ2に一端が固定されているガイドワイヤ２８により懸垂された状態で、回動しながら上下動し、これにより、ディスプレイまたは引き上げられる。
このとき、複数の展示物プレートは、最上端の位置に移動した状態で、平面部を上方に向けて並んで積層された形態をとり、モータＭの回転により、プレートが下方に移動しながら、同時に、平面部を透明展示窓３の正面に向けるように回動する。
展示物プレートが最下端の位置に到達すると、すべてのプレートは、正面を向けた状態となり、各プレートにプリントまたは貼付された部分展示物の形態は、完璧な形態をなして外部にディスプレイされる。
【００４２】
モータＭの回転による展示物プレートの上下移動時におけるモータＭの回転力は、モータＭに隣接して配置された減速機（図示せず）により、減速調節が可能である。
最下部の展示物プレート２５ｎの両端には、展示物プレートに荷重を与えることにより、装飾効果を奏する均衡錘部材２７を設けることができる。
回動ガイドワイヤ２８は、一端が駆動プーリＰ1、Ｐ2に固定され、他端が展示物プレートの中心部分２９ａの幅方向の側面部を固定状態で貫いて、最終プレート２９ｎの側面部に固定される。
【００４３】
前記枠部材は、上部枠Ｃ1と、該上部枠Ｃ1の両側の下部に配置された垂直枠Ｃ2およびＣ3と、前記上部枠Ｃ1に対向して垂直枠Ｃ2およびＣ3の端部との間に配置された下部枠Ｃ4とからなり、前記枠部材の各連接部分には、隅継ぎ部Ｃｅを配置することができる。
前記上部枠Ｃ1は、モータＭの内蔵のために上方に開放された構造の水平フレーム部材２１の上部面を覆い、前記水平フレーム部材２１に、ネジ等の固定部材２２でネジ留めされる。
また、前記枠部材の前・背面側には、透明展示窓３、７を設けて、展示物を保護し、かつ、装飾効果を増大させる。
前記透明展示窓には、内部に展示物を密閉内蔵する空間を有する複層ガラスを採用することが好ましい。
【００４４】
本発明の他の実施形態としては、上述したロールブラインドおよび多段式ブラインドに代えて、折り畳み式ブラインドを採用することもできる。
図６（ａ）に、折り畳み式ブラインドを用いたディスプレイ装置の斜視図を示す。また、図６（ｂ）に、その縦断面図を示す。
折り畳み式ブラインド３０は、回転軸３３に直列連結された少なくとも１つの駆動プーリＰ1、Ｐ2を有する正逆モータＭと、該正逆モータＭを内蔵する水平フレーム部材と、該フレーム部材の下部に上端が固定される折り畳み式ギャザー展示物シート３５と、この展示物シート３５の最下端に固定された均衡錘部材３７と、一端が前記モータＭの駆動プーリＰ1、Ｐ2に固定され、他端が均衡錘部材３７に固定されたガイドワイヤ３９とを備えている。
【００４５】
前記ガイドワイヤ３９は、折り畳み式ギャザー展示物シート３５を介して、最下端の均衡錘部材３７に固定されており、モータＭの作動によりプーリＰ1、Ｐ2が回転すると、ガイドワイヤ３９がプーリＰ1、Ｐ2に対して巻き取られ、または、展開されると、ギャザー展示物シート３５が引き上げられ、または、ディスプレイされる。
【００４６】
前記ギャザー展示物シート３５は、相互逆方向に折り曲げられたギャザー部３５ａ、３５ｂからなる。
また、前記折り畳み式ブラインド３０は、図３および図５に示したディスプレイ装置と同様に、四角形状の枠部材Ｃ1、Ｃ2、Ｃ3、Ｃ4（二点鎖線で示す）と、該枠部材の前・背面に設けられる透明展示窓３、７とにより形成される空間内に収納され、装飾効果および保護効果が得られる。
【００４７】
図５および図６に示した実施形態と類似するものであるが、図７に、ブラインドとして図４に示したロールブラインドを採用した形態のディスプレイ装置を概略的に示す。
モータを内蔵する円筒状水平フレーム部材は、上部枠Ｃ1側に配置され、モータＭの回転により、展示物シート１７をディスプレイまたは引き上げる。
【００４８】
ロールブラインドの構造と作動は、図４についての説明と同様であり、ロールブラインドを取り囲む枠部材と透明展示窓の構成は、図５および図６についての説明と同様である。前記透明展示窓には、前記ロールブラインドを密閉内蔵する空間を有する複層ガラスを採用することが好ましい。
【００４９】
図５〜図７に示した実施形態のディスプレイ装置の制御ユニットは、電気周波数作動式または音響作動式であり、電源、モータおよびレシーバに接続された中央処理部と、前記電源とモータの作動制御信号をレシーバに遠隔伝送するリモコンを備えており、前記リモコンの制御信号は、レシーバを介して中央処理部に伝わり、中央処理部の作動制御で電源とモータが作動する。
【００５０】
上述した様々な実施形態のディスプレイ装置は、壁面、窓等のあらゆる所に設置可能であり、窓に設置した場合、装飾効果以外に、私生活保護、遮光および断熱効果も付加的に奏することができ、展示物シートに展示物を適用しない場合、プロジェクトスクリーンとしても活用可能である。
【００５１】
以上、添付図面を参照して様々な実施の形態について説明したが、本発明に係るディスプレイ装置は、これに限定されるものではなく、様々な変形が可能である。
【図面の簡単な説明】
【００５２】
【図１】（ａ）は、本発明に係るブラインド式自動ディスプレイ装置の斜視図であり、（ｂ）は、その側面図である。
【図２】リモコンを使用した制御ユニットのブロック図である。
【図３】図１のディスプレイ装置の分解斜視図である。
【図４】図３のロールブラインドの分解斜視図である。
【図５】本発明に係る他の実施形態のディスプレイ装置の分解斜視図である。
【図６】（ａ）は、本発明に係る他の実施形態のディスプレイ装置の斜視図であり、（ｂ）は、その側面図である。
【図７】（ａ）は、図４のロールブラインドを用いたディスプレイ装置の斜視図であり、（ｂ）は、その側面図である。
【符号の説明】
【００５３】
１          バックプレート
３、７      透明展示窓
５          縁遮蔽部材
１０        ロールブラインド
１０ａ、１０ｂ  キャップ部材
１５        展示物シート
１７、２７、３７  均衡錘部材
２０        多段式ブラインド
２５ａ、２５ｂ、２５ｃ、・・・、２５ｎ  展示物プレート
２８、２９  ガイドワイヤ
３０        折り畳み式ブラインド
３５        折り畳み式ギャザー展示物シート
Ｃ          枠部材
Ｌ          照明灯
Ｍ          モータ
Ｐ1、Ｐ2    駆動プーリ
【図１】
2004190476.tif 000003
【図２】
2004190476.tif 000004
【図３】
2004190476.tif 000005
【図４】
2004190476.tif 000006
【図５】
2004190476.tif 000007
【図６】
2004190476.tif 000008
【図７】
2004190476.tif 000009